(57)【特許請求の範囲】
【請求項１】
リーダー器において、
第１波長を有する光を照射する第１発光部と、
第２波長を有する光を照射する第２発光部と、
前記第１発光部及び前記第２発光部のうちいずれか一つによって光が照射されるように制御する制御部と、
前記第１発光部及び前記第２発光部のうちいずれか一つからの光が照射されるコードが表示された製品からの光を受光する受光部と、
を含み、
前記制御部は前記リーダー器が作動開始される場合前記第２発光部から前記第２波長を有する光が照射されるように制御し、
前記制御部は前記コードが表示された製品から前記受光部を通じて取得した画像の明度が所定の明度以上であるか否かを判断することを特徴とするリーダー器。
【請求項２】
前記制御部は、前記画像の明度が所定の明度以上であると判断した場合には前記取得された画像で明度が低く示される点を基準としてコードを解釈することを特徴とする請求項１に記載のリーダー器。
【請求項３】
前記制御部は、前記画像の明度が所定の明度未満であると判断した場合には前記第２発光部の作動を中止し、前記第１発光部から前記第１波長を有する光が照射されるように制御することを特徴とする請求項１に記載のリーダー器。
【請求項４】
前記制御部は、前記コードが表示された製品から前記受光部を通じて取得した画像で明度が高く示される点を基準にしてコードを解釈することを特徴とする請求項３に記載のリーダー器。
【発明の詳細な説明】
【技術分野】
【０００１】
本発明はコードの記録されたフィルム、コードの記録されたフィルムを認識するに使用されるリーダー器、及びコードの記録されたフィルムが付着されたディスプレー装置を具備する電子機器に係り、より詳細には電子機器のディスプレー部の表面に付着できるように透明な材質の面上にコードが表示された場合にもリーダー器によって判読可能なコードパターンを提供するコードの記録されたフィルム、コードの記録されたフィルムを認識するに使用されるリーダー器、及びコードの記録されたフィルムが付着されたディスプレー装置を具備する電子機器に関する。
【背景技術】
【０００２】
従来技術によるリーダー器は判読対象面に形成されたコードを認識するにおいて、発光部から照射される光と受光部から受光される光の波長が同一であることによって、紙面など乱反射面を除いては発光部から照射された光線が受光部で直接受光されることを制限するために、発光部と受光部は必ず光学的に分離された状態で構成しなければならないという制約があった。
【０００３】
また、従来技術によるリーダー器によると、コードの記録された透明なフィルム面では発光部から照射された光線のうち直接正反射される反射光のみ入射されるライトスポット（liｇｈｔ  Spot）ができ、正反射される部分の以外のフィルム面は発光部の光が到達していなかったように撮影される所謂“鏡現象”によって、コードの判読が不可能になるという問題点があった。
【０００４】
さらに、鏡現象においてのライトスポットはリーダー器と判読対象面の角度に影響を受けるので、センサーで撮影された画像でライトスポットを規定することができなくて、コード判読をより困難にする要因として作用した。
【０００５】
即ち、従来技術によるリーダー器は紙面などのように透明でない材質の面上にコードパターンが印刷された場合にはこれを認識することに問題はないが、透明な材質の面上にコードパターンを印刷してこれを電子機器のディスプレー部の表面に付着して画面と連動してコードを認識しようとする場合には使用することのできないという問題があった。
【発明の開示】
【発明が解決しようとする課題】
【０００６】
従って、本発明が解決しようとする課題は、電子機器のディスプレー部の表面に付着できるように透明な材質の面上にコードが表示された場合にもリーダー器によって判読可能なコードパターンを提供するためのコードが記録されたフィルム、コードが記録されたフィルムを認識するに使用されるリーダー器、及びコードの記録されたフィルムが付着されたディスプレー装置を具備する電子機器を提供することにある。
【課題を解決するための手段】
【０００７】
上記目的を達成するための本発明によるリーダー器は、所定の蛍光物質で表示されたコードが印刷されているフィルム面に第１波長を有する光を照射する発光部１１０と、前記第１波長を有する光が前記コードに照射された場合、前記所定の蛍光物質によって放射される第２波長を有する光のみを受光する受光部１５０と、を含む。
【０００８】
望ましくは、前記第１波長を有する光は紫外線であり、前記第２波長を有する第２光は赤外線であることを特徴とする。
【０００９】
一方、本発明によるコードの記録されたフィルムは、フィルム層と、前記フィルム層２１０の上部に形成され、所定の蛍光物質でコードが表示されている情報層２３０と、を含み、前記所定の蛍光物質はリーダー器１００の発光部１１０から第１波長を有する光が照射された場合、前記リーダー器１００の受光部１５０によって受光される第２波長を有する光を放射することを特徴とする。
【００１０】
望ましくは、前記第１波長を有する光は紫外線であり、前記第２波長を有する光は赤外線であることを特徴とする。
【００１１】
また、前記第２波長は可視光線の波長領域外の波長であることを特徴とする。
【００１２】
また、前記所定の蛍光物質は可視光線波長領域においての透過率の高い蛍光物質であることを特徴とする。
【００１３】
また、前記情報層の上部に形成され、前記蛍光物質で表示されたコードを保護する保護層をさらに含むことを特徴とする。
【００１４】
一方、本発明によるディスプレー装置を具備する電子機器は、前記ディスプレー装置の表面には、透明なフィルム層２１０、及び前記透明なフィルム層２１０の上部に形成され、所定の蛍光物質で表示されたコードの印刷されている情報層２３０を含み、前記所定の蛍光物質はリーダー器１００の発光部１１０から第１波長を有する光が照射された場合、前記リーダー器１００の受光部１５０によって受光される第２波長を有する光を放射させるコードの記録されたフィルムが付着されたディスプレー装置を具備することを特徴とする。
【００１５】
望ましくは、前記第２波長は、可視光線の波長領域外の波長であることを特徴とする。
【００１６】
また、前記所定の蛍光物質は、可視光線波長領域での透過率の高い蛍光物質であることを特徴とする。
【００１７】
一方、本発明によるリーダー器は、第１波長を有する光を照射する第１発光部１１０−１と、第２波長を有する光を照射する第２発光部１１０−２と、前記第１発光部１１０−１及び前記第２発光部１１０−２のうちいずれか一つによって光が照射されるように制御する制御部と、前記第１発光部及び前記第２発光部１１０−２のうちいずれか一つからの光が照射されるコードが表示された製品からの光を受光する受光部１５０と、を含む。
【００１８】
望ましくは、前記制御部１７０は前記リーダー器１００が作動開始される場合前記第２発光部１１０−１から前記第２波長を有する光が照射されるように制御し、前記制御部１７０は前記コードが表示された製品から前記受光部１５０を通じて取得した画像の明度が所定の明度以上であるかの可否を判断することを特徴とする。
【００１９】
また、前記制御部１７０は、前記画像の明度が所定の明度以上である判断した場合には前記取得された画像で明度が低く示される点を基準としてコードを解釈することを特徴とする。
【００２０】
また、前記制御部１７０は、前記画像の明度が所定の明度未満であると判断した場合には前記第２発光部１１０−２の作動を中止し、前記第１発光部１１０−１から前記第１波長を有する光が照射されるように制御することを特徴とする。
【００２１】
また、前記制御部１７０は、前記コードが表示された製品から前記受光部１５０を通じて取得した画像で明度が高く示される点を基準にしてコードを解釈することを特徴とする。
【００２２】
また、前記第１波長を有する光は紫外線であり、前記第２波長を有する光は赤外線であることを特徴とする。
【００２３】
一方、本発明によるコードの記録されたフィルムは、リーダー器の発光部からフィルムに照射される光を反射する材質からなる反射層と、前記反射層の上部に形成され、前記照射される光を吸収する材質からなる情報層と、を含み、前記情報層には穿孔を通じてコードが表示されていることを特徴とする。
【００２４】
望ましくは、前記リーダー器の発光部から前記穿孔された部分に照射される光は前記反射層によって反射されて前記リーダー器の受光部に受光されることを特徴とする。
【００２５】
また、前記情報層５３０の上部に形成され、前記穿孔された部分を保護する保護層５５０をさらに含むことを特徴とする。
【００２６】
また、前記穿孔された部分に照射される光は穿孔された部分から屈折されて乱反射が起こることを特徴とする。
【００２７】
一方、本発明によるディスプレー装置を具備する電子機器は、前記ディスプレー装置の表面には、リーダー器の発光部からフィルムに照射される光を反射する材質からなる反射層、及び前記反射層の上部に形成され、前記照射される光を吸収する材質からなる情報層を含み、前記情報層には穿孔を通じてコードが表示されているコードの記録されたフィルムが付着されたことを特徴とする。
【００２８】
望ましくは、前記リーダー器の発光部から照射される光は、可視光線の波長領域外の波長を有することを特徴とする。
【００２９】
一方、本発明によるリーダー器は、照射される光を反射する材質からなる反射層、及び前記反射層の上部に形成され、前記照射される光を吸収する材質からなる情報層を含み、前記情報層には穿孔を通じてコードが表示されているコードの記録されたフィルムに光を照射する発光部と、前記発光部から前記フィルムの穿孔された部分に照射される光が前記反射層によって反射された反射光を受光する受光部と、を含む。
【００３０】
望ましくは、前記穿孔された部分に照射される光は、穿孔された部分で屈折された乱反射が起こることを特徴とする。
【発明の効果】
【００３１】
本発明によると、電子機器のディスプレー部の表面に付着できるように透明な材質の面上にコードが表示された場合にもリーダー器によって判読可能なコードパターンを提供するコードの記録されたフィルムが提供される。
【００３２】
また、本発明によると、透明な材質の面上にコードパターンを印刷してこれを電子機器のディスプレー部の表面に付着した場合、画面と連動してコードを認識することのできるリーダー器を提供する。
【００３３】
また、本発明によると、紙面などの乱反射面ではなく判読対象面でも発光部から照射された光線が受光部で直接受光される可能性がないのでリーダー器での発光部と受光部を光学的に分離された状態で構成する必要がなくなる。
【図面の簡単な説明】
【００３４】
【図１】本発明の一実施形態によるリーダー器の判読原理を説明する図面である。
【図２】図１においてのリーダー器の受光部が取得した画像を示す図面である。
【図３】図１においてのコードの記録されたフィルムの構造を示す図面である。
【図４】本発明の他の実施形態によるリーダー器の構造を示す図面である。
【図５】図４においての印刷面に対して取得した画像を示す図面である。
【図６】図４においての本発明の他の実施形態によるリーダー器の機能ブロック図である。
【図７】図４においての本発明の他の実施形態によるリーダー器の動作原理を説明するフローチャートである。
【図８】本発明のさらに他の実施形態によるコードの記録されたフィルムの構造を示す図面である。
【図９】図８においての穿孔フィルムに対して取得した画像を示す図面である。
【発明を実施するための最良の形態】
【００３５】
以下、図面を参照して本発明の望ましい一実施形態をより詳細に説明する。図面のうち、同一の構成要素はできるだけ同一の符号を付与する。また、本発明の要旨を曖昧にする公知機能及び構成についての詳細な説明は省略する。
【００３６】
図１は本発明の一実施形態によるリーダー器の判読原理を説明する図面である。図１を参照すると、本発明の一実施形態によるリーダー器１００は発光部１１０、及び受光部１５０を含み、コードの記録されたフィルム２００の表面でコード情報を読み出す機能を遂行する。
【００３７】
コードの記録されたフィルム２００は透明材質のフィルム層２１０の上部に所定の蛍光物質でコードが表示されており、この蛍光物質はリーダー器１００の発光部１５０によって受光できる第２波長を有する光を放射する。
【００３８】
一方、本発明を実施するに当たり、第１波長を有する光は紫外線であり、第２波長を有する光は赤外線であってよい。具体的に発光部１１０で第１波長を有する光である紫外線をコードの記録されたフィルム２００に照射すると、該当フィルムでのコード情報を意味する所定の位置に表示されている蛍光物質は第２波長を有する光である赤外線を放射する。
【００３９】
即ち、本発明においての蛍光物質は紫外線に蛍光反応を起こす赤外線を放射する蛍光色素として、塩化ナトリウム（Sodium  Chloride）配合物または水酸化カルシウム硫酸（Hydrated  calcium  Sulfate）配合物が使用される。
【００４０】
一方、リーダー器１００の受光部１５０は第２波長を有する光である赤外線のみを受光することができ、これのために図１のように受光部１５０は第２波長帯域のみを通過させる帯域通過フィルター１５３として、赤外線通過フィルターがイメージセンサー１５５の前面部に設置される構造を有することが望ましい。
【００４１】
即ち、蛍光物質から放射される第２波長を有する光のみが受光部１５０の帯域通過フィルター１５３を通過できる結果、イメージセンサー１５５を通じて図２のように画像を取得することができるようになる。
【００４２】
即ち、蛍光物質２３３においての紫外線による蛍光反応の後放射される赤外線による画像を検出すると蛍光物質２３３で表示された部分は明るく表示され、蛍光物質２３３で表示されていない部分は暗く表示されることによって、図２のように蛍光物質２３３で表示された点コード、バーコード、または線分コードのパターン情報を取得することができる。
【００４３】
蛍光物質２３３で表示されていない部分が暗く表示されることによって、蛍光物質２３３で表示された点コードのパターン情報を取得することができるので、本発明を実施するに当たっては、図１のようにフィルム層２１０は赤外線に反応しないで赤外線を吸収する材質であることが望ましい。
【００４４】
一方、図３は図１でのコードの記録されたフィルムの構造を示す図面である。図３を参照すると、図１でのコードの記録されたフィルム２００はフィルム層２１０、情報層２３０、保護層２５０を含む。
【００４５】
まず、情報層２３０はフィルム層２１０の上部に形成されているコード情報の記録されている層として、具体的にリーダー器１００の発光部１１０から第１波長を有する光が照射された場合リーダー器１００の受光部１５０によって受光できる第２波長を有する光を放射する所定の蛍光物質でコードが表示されている。
【００４６】
一方、このような情報層２３０を成す蛍光物質は情報層２３０の上部に形成された透明材質の保護層２５０によって保護される。本発明の実施することにておいて、保護層２５０はＰＥＴ材質で製造されることが望ましい。
【００４７】
また、フィルム層２１０は受光部１５０によって受光される第２波長を有する光を吸収する材質から製造され、本発明によるコードの記録されたフィルム２００がディスプレー装置３００の表面に付着されて使用できるように透明な材質のＰＥＴフィルムで製造されることが望ましい。
【００４８】
一方、本発明によるコードの記録されたフィルム２００をディスプレー装置３００の表面に付着させて使用する場合、ディスプレー装置３００から照射される光によってリーダー器１００が誤動作されることを防止するために、リーダー器１００の受光部１５０で受光される光の波長は可視光線の波長領域帯外の波長であることが望ましい。
【００４９】
また、ディスプレー装置３００の画面を見る使用者に画面の歪曲なしに提供できるようにするために、情報層２３０を形成する蛍光物質は可視光線波長領域で透過率の高い蛍光色素を使用することが望ましく、さらに、蛍光物質で表示されたコードパターンにおいての点の大きさを減少させることで蛍光物質の密度を低くする方法を使用することもできる。
【００５０】
図４は本発明の他の実施形態によるリーダー器１００の構造を示す図面である。図４は発光部１１０が２つの波長帯の光を選択的に照射できるように、第１波長を有する光を照射する第１発光部１１０−１と第２波長を有する光を照射する第２発光部１１０−２を具備する。
【００５１】
本発明を実施するに当たっては、第１波長を有する光は紫外線であり、第２波長を有する光は赤外線となるようにすることが望ましい。図４において紫外線を照射する第１発光部１１０−１は、図１においてのコードの記録されたフィルム２００に紫外線を照射することでリーダー器１００が該当フィルムでのコード判読が可能できるようにし、赤外線を照射する第２発光部１１０−２は赤外線を吸収する色素を用いて点コードを表示した紙などの一般的な印刷面４００でのコード判読を可能にする。
【００５２】
第１発光部１１０−１によるコード判読の原理は、図１及び図２で説明したコード判読の原理と同一であるので、第２発光部１１０−２によるコード判読の原理を説明する。
【００５３】
第２発光部１１０−２が赤外線を吸収する色素を用いて点コードを表示した印刷面４００に赤外線を照射すると、点コードが表示された部分では赤外線が吸収され残り部分では赤外線が反射されるので、赤外線のみを受光する受光部１５０によって取得された画像は図５のように点コードが表示された部分が暗く示される。
【００５４】
図６は図４における本発明の他の実施形態によるリーダー器１００の機能ブロック図であり、図７は図４における本発明の他の実施形態によるリーダー器１００の動作原理を説明するフローチャートである。
【００５５】
図４乃至図７を参照して、本発明の他の実施形態によるリーダー器１００の動作原理を説明すると、まず、リーダー器１００の制御部１７０はスイッチ１９０の動作可否を判断して（Ｓ７１０）、スイッチ１９０の動作またはスイッチ１９０での圧力が感知されると、赤外線を照射する第２発光部１１０−２が判読対象面を照射するように制御する（Ｓ７２０）。
【００５６】
ここで、赤外線が照射された判読対象面が蛍光物質でコードの記録されたフィルム２００であると、受光部１５０によって取得された画像は該当フィルムを構成するフィルム層２１０は赤外線を吸収する性質を有する関係であるので、非常に暗い画像が取得されるし、赤外線が照射されたコード判読対象面が赤外線吸収色素で点コードが表示された印刷面４００であると受光部１５０によって取得された画像は図５のように点コード部分のみが暗く残りの部分では明るい画像が取得される。
【００５７】
従って、制御部１７０は受光部１５０によって取得された画像の輝度値が所定基準輝度値以上であるかを判断した結果（Ｓ７３０）、所定の基準明度値以上であると確認されると、該当画像は赤外線吸収色素で点コードが表示された印刷面４００から取得された画像であると判断し、図５においての暗い点に基づいて点コードパターン情報を解釈する。
【００５８】
一方、受光部１５０によって取得された画像の明度値が所定の基準明度値未満であると確認されると、制御部１７０は現在のコード判読対象面は蛍光物質でコードの記録されたフィルム２００であると判断し、赤外線を照射する第２発光部１１０−２の作動を中止し、紫外線を照射する第１発光部１１０−１が判読対象面を照射するように制御する。この場合、受光部１５０で取得された画像は図２のように蛍光物質によってコード部分のみが明るく示される画像であるので、制御部１７０は図２での明るい点に基づいて点コードパターン情報を解釈する。
【００５９】
図８は本発明のさらに他の実施形態によるコードの記録されたフィルムの構造を示す図面である。図８を参照すると、本発明のさらに他の実施形態によるコードの記録されたフィルムは反射層５１０、情報層５３０、及び保護層５５０を含む。
【００６０】
反射層５１０はリーダー器１００の発光部１１０からフィルムに照射される光を反射する材質で製造され、情報層５３０は反射層５１０の上部に付着された層として基本的にリーダー器１００の発光部１１０から照射される光を吸収する材質から製造される。
【００６１】
一方、情報層５３０には点コードを表示する方法として、複数の穿孔点５３３が形成されており、穿孔点５３３が形成されている情報層５３０の上部に取り付けられた保護層５５０を通じてコード情報を表示する穿孔された部分が保護される。
【００６２】
即ち、図８においのコードの記録されたフィルムは穿孔点５３３を通じてコードを表示するフィルムであるので、本明細書では穿孔フィルム５００と呼ぶことにする。
【００６３】
本発明を実施することにおいては穿孔フィルム５００の穿孔点５３３の形成はレーザー加工、突起物による圧着加工、コードパターンが刻まれた複数のきりを有するカスタム金型物などを用いて可能である。
【００６４】
本発明による穿孔フィルム５００は、図８のような層状構造を有するので、リーダー器１００の発光部１１０から赤外線が情報層５３０に照射される場合には、情報層５３０で穿孔点５３３が形成されていない部分では赤外線が吸収され、穿孔点５３３に照射される赤外線は吸収されず穿孔点５３３を通して露出されている穿孔点５３３の下の方の反射層５１０を介して反射される。
【００６５】
このように穿孔点５３３から反射される赤外線はリーダー器１００の受光部１５０で受光され、それによってリーダー器１００は図９のような画像を取得し、リーダー器１００は図９においての明るい点に基づいて点コードパターン情報を解析することになる。
【００６６】
一方、図８においての穿孔点５３３から照射される赤外線は、穿孔された部分で屈折されて乱反射が起こるので、発光部１１０から照射された光線が受光部で直接受光される場合や、鏡現象によるライトスポットの問題点が発生しない。
【００６７】
また、本発明を実施することにおいては、穿孔フィルム５００での保護層５５０と反射層５１０は透明な材質で製作することによって、図８においての穿孔フィルム５００がディスプレー装置３００の表面であるディスプレー面に付されて使用できるようにすることが望ましい。
【００６８】
一方、本発明による穿孔フィルム５００を図８のようにディスプレー装置３００の表面に装着して使用する場合ディスプレー装置３００から照射される光によってリーダー器１００が誤動作することを防止するために、反射層５１０から照射されてリーダー器１００の受光部１５０で受光される光である、発光部１１０から照射される光は可視光線の波長領域外の波長を有することが望ましい。
【００６９】
以上、本発明の実施形態によって詳細に説明したが、本発明はこれに限定されず、本発明が属する技術分野において通常の知識を有する者であれば、本発明の技術的思想から逸脱することなく、本発明を修正または変更できる。
【図１】
0005795683.tif 000002
【図２】
0005795683.tif 000003
【図３】
0005795683.tif 000004
【図４】
0005795683.tif 000005
【図５】
0005795683.tif 000006
【図６】
0005795683.tif 000007
【図７】
0005795683.tif 000008
【図８】
0005795683.tif 000009
【図９】
0005795683.tif 000010